(57)【特許請求の範囲】
【請求項１】
クリーム状又はゲル状物質の収容物を収容するリフィール容器と、該リフィール容器を着脱交換可能に収納する外容器と、前記リフィール容器及び前記外容器の蓋体を兼ねる外蓋体と、を有して構成される詰替容器において、
前記外容器が、上方開口部を有する構成であり、
前記外蓋体が、前記外容器の上部に螺合又は嵌合することにより前記上方開口部を閉塞する構成であり、
前記リフィール容器が、底部と該底部の周縁部全周から立ち上がる筒状体の側壁部と該側壁部の上端部全周から外側方向に延伸するフランジ部とから成るリフィール容器本体と、前記フランジ部の下面に接合される環状の樹脂成形リング部と、を有すると共に、
前記リフィール容器本体は、積層フィルムから成る絞り成形体であり、かつ前記底部と前記側壁部と前記フランジ部とが一体的に形成された構成であり、
前記積層フィルムは、アルミニウムフィルムから成る酸素バリア層が、合成樹脂層と合成樹脂層に挟まれた層構成であり、
前記樹脂成形リング部を前記外容器の上方開口部の縁部上面に載置し、前記リフィール容器本体の側壁部を前記外容器内に間隙を設けた状態で垂下させて、前記リフィール容器を前記外容器に収納する構成であることを特徴とする詰替容器。
【請求項２】
前記リフィール容器本体のフランジ部の下面側に位置する層が、前記樹脂成形リング部の樹脂と同種の合成樹脂で構成されている層であることを特徴とする請求項１に記載の詰替容器。
【請求項３】
前記外容器が、前記上方開口部と連通する下方開口部を有し、上下に貫通する構成であることを特徴とする請求項１又は２に記載の詰替容器。
【請求項４】
前記フランジ部の上面が酸素バリア層及び合成樹脂層を有する積層フィルムから成る被覆シール部が剥離可能に被覆して前記リフィール容器の収容物を密閉する構成であることを特徴とする請求項１〜３のいずれかに記載の詰替容器。
【請求項５】
前記フランジ部の上面側に位置する層と、前記被覆シール部のフランジ部接合面側に位置する層が、同種の合成樹脂で構成されている層であることを特徴とする請求項４に記載の詰替容器。
【請求項６】
前記樹脂成形リング部が前記外容器の上方開口部の縁部に嵌合固定する構成であることを特徴とする請求項１〜５のいずれかに記載の詰替容器。
【請求項７】
前記樹脂成形リング部が前記外容器の上方開口部の縁部に螺合固定する構成であることを特徴とする請求項１〜５のいずれかに記載の詰替容器。
【請求項８】
前記外蓋体が酸素バリア性を有する構成であることを特徴とする請求項１〜７のいずれかに記載の詰替容器。
【請求項９】
前記リフィール容器本体の外側が合成樹脂材から成る外装体で被覆された構成であることを特徴とする請求項１〜８のいずれかに記載の詰替容器。
【請求項１０】
前記外装体が、下記構成（１）〜（３）の少なくとも１つの構成であることを特徴とする請求項９に記載の詰替容器。
（１）外装体が不透明又は透明若しくは半透明合成樹脂で形成された構成
（２）外装体が着色合成樹脂で形成された構成
（３）外装体の表面が印刷面である構成
【請求項１１】
前記外装体が前記外容器と同色系又は異色系であることを特徴とする請求項９又は１０に記載の詰替容器。
【請求項１２】
前記外装体及び前記外容器が同種の合成樹脂で形成された構成であることを特徴とする請求項９〜１１のいずれかに記載の詰替容器。
【請求項１３】
前記外装体が前記樹脂成形リング部と一体的に形成された構成であることを特徴とする請求項９〜１２のいずれかに記載の詰替容器。
【請求項１４】
前記外装体の上端部全周が前記樹脂成形リング部に接合された構成であることを特徴とする請求項９〜１１のいずれかに記載の詰替容器。
【請求項１５】
クリーム状又はゲル状物質の収容物を収容するリフィール容器であって、外蓋体によって閉塞可能な上方開口部を有する外容器に着脱可能に収納される詰替容器用リフィール容器において、
前記リフィール容器が、底部と該底部の周縁部全周から立ち上がる筒状体の側壁部と該側壁部の上端部全周から外側方向に延伸するフランジ部とから成るリフィール容器本体と、前記フランジ部の下面に接合される環状の樹脂成形リング部と、を有すると共に、
前記リフィール容器本体は、積層フィルムから成る絞り成形体であり、かつ前記底部と前記側壁部と前記フランジ部とが一体的に形成された構成であり、
前記積層フィルムは、アルミニウムフィルムから成る酸素バリア層が、合成樹脂層と合成樹脂層に挟まれた層構成であり、
前記樹脂成形リング部を前記外容器の上方開口部の縁部上面に載置し、前記リフィール容器本体の側壁部を前記外容器内に間隙を設けた状態で垂下させて、前記リフィール容器を前記外容器に収納する構成であることを特徴とする詰替容器用リフィール容器。
【発明の詳細な説明】
【技術分野】
【０００１】
本発明は詰替容器及び詰替容器用リフィール容器に関し、詳しくは洗顔クリーム・栄養保湿クリーム等の化粧品類やジャム・ペースト等の食品類の如きクリーム状又はゲル状物質の詰替リフィール容器として好適な詰替容器及び詰替容器用リフィール容器に関する。
【背景技術】
【０００２】
ガスバリア性を有する容器体は、そのガスバリア性に加えて気密性や液密性を有することから衛生面での高安全性・高品質保持性の点で化粧品類や食品類の容器として好適である。
【０００３】
また、積層フィルムの端部等をヒートシール等のシール手段によって接合することにより容器体を成す簡易な容器構成は、低コストで省資源性に富むため簡易包装容器や詰替リフィール容器として好適である。
【０００４】
以上のようなガスバリア性を有し且つ簡易な容器構成の容器体としては、例えば、特許文献１に記載のガスバリア性を有する積層フィルムをヒートシールすることにより容器体を成すものが知られている。
【先行技術文献】
【特許文献】
【０００５】
【特許文献１】特開２０１０−１０５７４１号
【発明の概要】
【発明が解決しようとする課題】
【０００６】
特許文献１の技術は、矩形の積層フィルムの相対向する縦辺同士をシール接合することにより筒状体の側壁部とし、更に該側壁部の下端全周に底部をシール接合することによりガスバリア性を有する容器体とした構成となっている。
【０００７】
しかし特許文献１の技術では、積層フィルムの各接合部のシール性の点で未だ不充分であり、このシール接合部におけるガスバリア性の不備により高安全性及び高品質保持性が求められる化粧品の容器としては不具合や不都合が生じるおそれがあるという問題点を有している。
【０００８】
そこで本発明の目的は、化粧品類や食品類の詰替リフィール容器として好適なガスバリア性に優れた詰替容器及び詰替容器用リフィール容器を提供することにある。
【課題を解決するための手段】
【０００９】
上記課題を解決する本発明は、下記構成を有する。
【００１０】
１．クリーム状又はゲル状物質の収容物を収容するリフィール容器と、該リフィール容器を着脱交換可能に収納する外容器と、前記リフィール容器及び前記外容器の蓋体を兼ねる外蓋体と、を有して構成される詰替容器において、
前記外容器が、上方開口部を有する構成であり、
前記外蓋体が、前記外容器の上部に螺合又は嵌合することにより前記上方開口部を閉塞する構成であり、
前記リフィール容器が、底部と該底部の周縁部全周から立ち上がる筒状体の側壁部と該側壁部の上端部全周から外側方向に延伸するフランジ部とから成るリフィール容器本体と、前記フランジ部の下面に接合される環状の樹脂成形リング部と、を有すると共に、
前記リフィール容器本体は、積層フィルムから成る絞り成形体であり、かつ前記底部と前記側壁部と前記フランジ部とが一体的に形成された構成であり、
前記積層フィルムは、アルミニウムフィルムから成る酸素バリア層が、合成樹脂層と合成樹脂層に挟まれた層構成であり、
前記樹脂成形リング部を前記外容器の上方開口部の縁部上面に載置し、前記リフィール容器本体の側壁部を前記外容器内に間隙を設けた状態で垂下させて、前記リフィール容器を前記外容器に収納する構成であることを特徴とする詰替容器。
【００１１】
２．前記リフィール容器本体のフランジ部の下面側に位置する層が、前記樹脂成形リング部の樹脂と同種の合成樹脂で構成されている層であることを特徴とする上記１に記載の詰替容器。
【００１２】
３．前記外容器が、前記上方開口部と連通する下方開口部を有し、上下に貫通する構成であることを特徴とする上記１又は２に記載の詰替容器。
【００１３】
４．前記フランジ部の上面が酸素バリア層及び合成樹脂層を有する積層フィルムから成る被覆シール部が剥離可能に被覆して前記リフィール容器の収容物を密閉する構成であることを特徴とする上記１〜３のいずれかに記載の詰替容器。
【００１４】
５．前記フランジ部の上面側に位置する層と、前記被覆シール部のフランジ部接合面側に位置する層が、同種の合成樹脂で構成されている層であることを特徴とする上記４に記載の詰替容器。
【００１５】
６．前記樹脂成形リング部が前記外容器の上方開口部の縁部に嵌合固定する構成であることを特徴とする上記１〜５のいずれかに記載の詰替容器。
【００１６】
７．前記樹脂成形リング部が前記外容器の上方開口部の縁部に螺合固定する構成であることを特徴とする上記１〜５のいずれかに記載の詰替容器。
【００１７】
８．前記外蓋体が酸素バリア性を有する構成であることを特徴とする請求項１〜７のいずれかに記載の詰替容器。
【００１８】
９．前記リフィール容器本体の外側が合成樹脂材から成る外装体で被覆された構成であることを特徴とする上記１〜８のいずれかに記載の詰替容器。
【００１９】
１０．前記外装体が、下記構成（１）〜（３）の少なくとも１つの構成であることを特徴とする上記９に記載の詰替容器。
（１）外装体が不透明又は透明若しくは半透明合成樹脂で形成された構成
（２）外装体が着色合成樹脂で形成された構成
（３）外装体の表面が印刷面である構成
【００２０】
１１．前記外装体が前記外容器と同色系又は異色系であることを特徴とする上記９又は１０に記載の詰替容器。
【００２１】
１２．前記外装体及び前記外容器が同種の合成樹脂で形成された構成であることを特徴とする上記９〜１１のいずれかに記載の詰替容器。
【００２２】
１３．前記外装体が前記樹脂成形リング部と一体的に形成された構成であることを特徴とする上記９〜１２のいずれかに記載の詰替容器。
【００２３】
１４．前記外装体の上端部全周が前記樹脂成形リング部に接合された構成であることを特徴とする上記９〜１１のいずれかに記載の詰替容器。
【００２４】
１５．クリーム状又はゲル状物質の収容物を収容するリフィール容器であって、外蓋体によって閉塞可能な上方開口部を有する外容器に着脱可能に収納される詰替容器用リフィール容器において、
前記リフィール容器が、底部と該底部の周縁部全周から立ち上がる筒状体の側壁部と該側壁部の上端部全周から外側方向に延伸するフランジ部とから成るリフィール容器本体と、前記フランジ部の下面に接合される環状の樹脂成形リング部と、を有すると共に、
前記リフィール容器本体は、積層フィルムから成る絞り成形体であり、かつ前記底部と前記側壁部と前記フランジ部とが一体的に形成された構成であり、
前記積層フィルムは、アルミニウムフィルムから成る酸素バリア層が、合成樹脂層と合成樹脂層に挟まれた層構成であり、
前記樹脂成形リング部を前記外容器の上方開口部の縁部上面に載置し、前記リフィール容器本体の側壁部を前記外容器内に間隙を設けた状態で垂下させて、前記リフィール容器を前記外容器に収納する構成であることを特徴とする詰替容器用リフィール容器。
【発明の効果】
【００２５】
請求項１に示す発明によれば、化粧品類や食品類の詰替リフィール容器として好適なガスバリア性に優れた詰替容器を提供することができる。
【００２６】
特に、底部と側壁部とフランジ部とから成るリフィール容器本体が接合部の無い一体構造を有しているのでガスバリア性が極めて高いという効果を発揮する。
【００２７】
請求項２に示す発明によれば、同じ種類の合成樹脂同士を接合するため、フランジ部と樹脂成形リング部との接合を容易に且つ確実に行うことができる。
【００２８】
請求項３に示す発明によれば、外容器の低コスト化・省資源性が可能である。
【００２９】
請求項４に示す発明によれば、収容物を密閉状態で収容することが可能である。
【００３０】
請求項５に示す発明によれば、被覆シール部による密閉を容易に且つ確実に行うことができ、該被覆シール部による密閉のガスバリア性が高い。
【００３１】
請求項６又は７に示す発明によれば、リフィール容器を外容器に固定状態で収納することができる。
【００３２】
請求項８に示す発明によれば、使用に際してガスバリア性を有する被覆シール部を剥離した後であっても外蓋体によってガスバリア性を維持することができる。
【００３３】
請求項９に示す発明によれば、積層フィルムから成るリフィール容器本体の補強外皮構造体として機能することになるため、該リフィール容器本体から収容物を取出す際の該リフィール容器本体の変形を抑制することができると共に、該リフィール容器外観の審美性を高めることができる。
【００３４】
請求項１０に示す発明によれば、リフィール容器外観の審美性をより高めることができる。
【００３５】
請求項１１又は１２に示す発明によれば、同色系とすることにより外容器とリフィール容器の外観に共通性を持たせることができ、また、異色系とすることにより外容器とリフィール容器の外観に意外性やデザイン性を持たせることができ、各々審美性を高めることができる。
【００３６】
請求項１３又は１４に示す発明によれば、リフィール容器本体のフランジ部の下面に樹脂成形リング部を接合するだけで前記リフィール容器本体を外装体によって被覆することができる。
【００３７】
請求項１５に示す発明によれば、化粧品類や食品類の詰替リフィール容器として好適なガスバリア性に優れた詰替容器用リフィール容器を提供することができる。
【００３８】
特に、底部と側壁部とフランジ部とから成るリフィール容器本体が接合部の無い一体構造を有しているのでガスバリア性が極めて高いという効果を発揮する。
【図面の簡単な説明】
【００３９】
【図１】本発明に係る詰替容器の一実施例を示す一部切欠断面図
【図２】図１に示す詰替容器の構成状態を説明する説明正面図
【図３】リフィール容器のフランジ部と樹脂成形リング部との接合部、及びフランジ部と被覆シール部との接合部の要部拡大端面図
【図４】リフィール容器本体の他の実施例を示す一部切欠断面図
【発明を実施するための形態】
【００４０】
以下、本発明に係る詰替容器について図面に基づき説明する。
【００４１】
本発明は、洗顔クリーム・栄養保湿クリーム等の化粧品類やジャム・ペースト等の食品類の如きクリーム状又はゲル状物質の詰替リフィール容器として好適な詰替容器であり、
具体的な実施構成としては、図１〜図３に示すように、クリーム状又はゲル状物質の収容物を収容するリフィール容器２と、該リフィール容器２を着脱交換可能に収納する外容器３と、前記リフィール容器２及び前記外容器３の蓋体を兼ねる外蓋体４と、を有して構成される詰替容器１において、
前記外容器３が、上方開口部を有する構成であり、
前記外蓋体４が、前記外容器３の上部に螺合又は嵌合（本実施例では螺合）することにより前記上方開口部を閉塞する構成であり、
前記リフィール容器２が、底部２１と該底部２１の周縁部全周から立ち上がる筒状体の側壁部２２と該側壁部２２の上端部全周から外側方向に延伸するフランジ部２３とから成るリフィール容器本体２０（図２（Ａ）参照）と、前記フランジ部２３の下面に接合される環状の樹脂成形リング部２４（図２（Ａ）・（Ｂ）参照）と、を有すると共に、前記リフィール容器本体２０が合成樹脂層と酸素バリア層とを積層した積層フィルムを絞り成形して前記底部２１と前記側壁部２２と前記フランジ部２３とを一体的に形成した構成であり、
前記樹脂成形リング部２４を前記外容器３の上方開口部の縁部上面に載置し、前記リフィール容器本体２０の側壁部２２を前記外容器３内に間隙を設けた状態で垂下させて、前記リフィール容器２を前記外容器３に収納する構成であること、を主構成とするものである。
【００４２】
更に、各構成について詳説する。
【００４３】
底部２１・側壁部２２・フランジ部２３から成るリフィール容器本体２０を構成する積層フィルムの積層構成の内、合成樹脂層としては、ポリエチレン、ポリエチレンテレフタレート、ポリプロピレン、ポリアミド、エチレンビニルアルコール共重合体等の二軸延伸フィルム又は一軸延伸フィルムの単体又は積層体が挙げられ、中でも、ポリエチレンフィルム、ポリプロピレンフィルム、ポリエチレンテレフタレートフィルムが好ましい。
【００４４】
上記した合成樹脂層に酸素や水蒸気等のガスバリア性を付与するために積層される酸素バリア層としては、アルミニウム、マグネシウム等の金属、又は酸化珪素等の酸化物を蒸着した蒸着フィルム、ポリ塩化ビニリデン等のバリア性コート剤等をコートしたコートフィルム等が挙げられ、中でも、アルミニウムフィルムが好ましい。
【００４５】
リフィール容器本体２０の具体的な層構成例としては、ポリエチレンフィルム又はポリプロピレンフィルム層、アルミニウムフィルム層、ポリエチレンテレフタレート層、ポリエチレンフィルム又はポリプロピレンフィルム層の順に積層した４層構成を好ましい例として挙げることができる。尚、本構成の場合、ポリエチレンテレフタレート層を印刷層とし、該印刷層に製品名、容量、使用方法、製造社名等の内容物に関する種々情報を印刷表示することが好ましい。
【００４６】
上記した積層構成を有するリフィール容器本体２０は、底部２１・側壁部２２・フランジ部２３が絞り成形によって接合部の無い一体構造を有しているのでガスバリア性が極めて高いという効果を発揮する。
【００４７】
樹脂成形リング部２４は、リフィール容器２を外容器３に収納する際に該外容器３の上方開口部の縁部上面に載置される部分であると共に、リフィール容器２の口縁部となるフランジ部２３の強度保持部分として機能するものであり、射出成形等の公知の樹脂成形手段により成形された環状の樹脂成形物構成である。該樹脂成形口縁部４の材質としては、図３に示すようにフランジ部２３の下面と接合される際に該フランジ部２３の下面側に位置する層と同種の合成樹脂であることが、該接合部における接合を容易に且つ確実となるので好ましい。リフィール容器本体２０の層構成が前述した構成の場合、接合面側にはポリエチレンフィルム又はポリプロピレンフィルム層が位置することになるので、樹脂成形リング部２４はポリエチレン又はポリプロピレンの成形体であることが好ましい。フランジ部２３と樹脂成形リング部２４との接合手段としては公知公用の溶着・融着・接着、その他の接合手段を特別の制限なく用いることができる。
【００４８】
以上の構成を有するリフィール容器２は、外容器３に収納されて使用される時点までは、収容物の品質保持のため前記フランジ部２３の上面が酸素バリア層及び合成樹脂層を有する積層フィルムから成る被覆シール部５によって剥離可能に被覆されることにより収容物を密閉する構成であることが好ましい。被覆シール部５としては、前記したリフィール容器本体２０と同種の層構成を有するものであり、更に、図３に示すように、該被覆シール部５のフランジ部２３接合面側に位置する層と、前記フランジ部２３の上面側に位置する層が同種の合成樹脂で構成されていることが好ましい。また、該被覆シール部５の表面には使用方法・取扱方法等が印刷表示されていることも好ましい。フランジ部２３と被覆シール部５との接合手段としては公知公用の溶着・融着・接着、その他の接合手段を特別の制限なく用いることができる。尚、被覆シール部５については、摘子部を設けて剥離し易くする等、公知の構成を採用してもよい。
【００４９】
以上の構成を有するリフィール容器２は、低コスト化及び省資源性を図ることができる簡易包装容器である詰替リフィール容器として好適である。販売に際しては、リフィール容器本体２０部分の保形性の点から箱体やブリスターパック等の包装体に包装されることが好ましいが、省資源性の点から可能な限り簡易な包装形態を採ることが好ましい。
【００５０】
上記構成を有するリフィール容器２を収納する外容器３は、合成樹脂、ガラス、陶磁器等の化粧品容器や食品容器として公知公用の素材から形成されることが好ましく、低コスト化及び省資源性の観点から、本実施例に示すように上方開口部と連通する下方開口部を有し、上下に貫通する構成であることが好ましい。
【００５１】
リフィール容器２を外容器３に収納する際に、上述したようにリフィール容器２のフランジ部２３下面に接合された樹脂成形リング部２４が外容器３の上方開口部の縁部上面に載置する構成となるが、かかる載置構成は単に載置するだけでもよいが、樹脂成形リング部２４が外容器３の上方開口部の縁部に固定された状態で載置する構成とすることが好ましい。固定状態とすることにより、リフィール容器２内の収容物を取出す際に該リフィール容器２が外容器３内で回動したり、或いはガタついたり、位置ズレしたり等の発生を防ぐことができるので、収容物の取出性を損なう虞を減じることができる。
【００５２】
外容器３への樹脂成形リング部２４の固定構成としては、図１に示す本実施例のように前記樹脂成形リング部２４の下部が前記外容器３の上方開口部の縁部内に嵌合することにより固定する構成を挙げることができる。
【００５３】
また、他の固定構成としては、前記樹脂成形リング部２４の下部外周に雄螺子部（又は雌螺子部）を形成し、該雄螺子部（又は雌螺子部）が螺合する雌螺子部（又は雄螺子部）を前記外容器３の上方開口部の縁部内周に形成することにより螺合固定する構成を挙げることができる。
【００５４】
更に、樹脂成形リング部２４の下面に剥離紙付き接着部を設けておき、リフィール容器２を外容器３に収納する際に剥離紙を取り除き、前記樹脂成形リング部２４が前記外容器３の上方開口部の縁部に接着状態で載置することにより固定する構成を挙げることもできる。
【００５５】
前記リフィール容器２及び外容器３の蓋体を兼ねる外蓋体４は、外容器３の上方開口部に螺合閉塞することにより該外容器３の上方開口部を閉塞すると共に収納したリフィール容器２の上方を閉塞する構成となっていることが好ましい。また、外蓋体４は、外容器３の上方開口部に嵌合することにより該上方開口部を閉塞する構成であってもよい。
【００５６】
該外蓋体４は、酸素バリア性を有する構成とすることが好ましく、かかる構成によって、使用に際してガスバリア性を有する被覆シール部５を剥離した後であっても該外蓋体４によってガスバリア性を維持することができる。酸素バリア性を有する構成としては、例えば、外蓋体４の内側面に前述した酸素バリア層を付与したり、或いは、外蓋体４をアルミニウムやマグネシウム等の金属で形成すること等を挙げることができる。
【００５７】
次に、上記構成を有する本発明の詰替容器１の各構成部材の組立構成について、図２の（Ａ）〜（Ｇ）に基づき説明する。
【００５８】
（Ａ）底面部２１・側壁部２２・フランジ部２３から成るリフィール容器本体２０のフランジ部２３の下面に、環状の樹脂成形リング部２４が接合される。
（Ｂ）リフィール容器本体２０のフランジ部２３下面に樹脂成形リング部２４が接合されてリフィール容器２が形成される。
（Ｃ）リフィール容器２内にクリーム状又はゲル状物質の収容物を収容した後、フランジ部２３の上面に被覆シール部５を接合することにより該リフィール容器２を密閉閉塞する。
（Ｄ）→（Ｅ）リフィール容器２を外容器３に収納する。
（Ｆ）外蓋体４により、外容器３と共にリフィール容器２を閉塞する。
（Ｇ）外容器３内にリフィール容器２が収納され、外蓋体４によって閉塞された状態となる。使用に際しては、外蓋体４を取外し、リフィール容器２を密閉閉塞する被覆シール部５を剥離することにより使用可能となる。使用後は外蓋体４により閉塞する。リフィール容器２内の収容物が無くなった場合、新規のリフィール容器２と交換する。  
【００５９】
以上、本発明に係る詰替容器の実施例について説明したが、本発明は上記態様に限定されず、本発明の範囲内において他の態様を採ることもできる。
【００６０】
上記実施例では、リフィール容器２が積層フィルムから成るリフィール容器本体２０と樹脂成形リング部２４とから構成されていたが、図４に示すように、リフィール容器本体２０の外側を合成樹脂材から成る外装体２５によって被覆した構成とすることもできる。
【００６１】
前記外装体２５によってリフィール容器本体２０の外側を被覆する構成とすることによって該外装体２５が底面部２１及び側壁部２２の補強外皮構造体として機能することになるため、積層フィルムから成るリフィール容器本体２０から収容物を取出す際の該リフィール容器本体２０の変形を抑制することができる。即ち、収容物が化粧クリーム等の化粧品の場合には手指によって化粧品を取出す際に手指によって底面部２１や側壁部２２を内側から押した際の変形を抑制することができ、収容物がアイスクリームやジャム等の食品の場合にはスプーン等によって食品をすくう際にスプーン先端等が底面部２１や側壁部２２の内側に当たった際の変形を抑制することができる。
【００６２】
また、図１に示す前記実施例のように下方開口部を有する外容器３を採用した場合に、変形の生じ易い積層フィルムから成るリフィール容器本体２０が該外容器３の下方開口部から露出してしまうことを防止することができるのでリフィール容器２の外観の審美性を高めることができる。
【００６３】
更に、前記外装体２５としては、下記構成（１）〜（３）の少なくとも１つの構成であることが好ましい。
（１）外装体が不透明又は透明若しくは半透明合成樹脂で形成された構成
（２）外装体が着色合成樹脂で形成された構成
（３）外装体の表面が印刷面である構成
【００６４】
上記（１）〜（３）の構成によれば、透明以外の構成についてはいずれも外装体２５によって被覆されるリフィール容器本体２０が透過し難くなるので積層フィルムの皺・傷・凹み等の露出を防ぐことができる。また、（１）の構成において透明とした場合については、内部が透けることによる興趣性が生じることになる。
【００６５】
更にまた前記外装体２５を、前記外容器３と同色構成としたり、前記外容器３を合成樹脂で形成して該外容器３と同種の合成樹脂で形成した構成とすることによって、外容器３とリフィール容器２の外観に共通性を持たせることができ、審美性をより高めることができる。尚、外装体２５と外容器３とを異色系とすることによって、意外性やデザイン性を持たせることができ、この場合であっても審美性をより高めることができる。
【００６６】
前記外装体２５は、図４に示すように樹脂成形リング部２４と一体的に成形する構成とすることにより１つの金型で成形することが可能となるので成形工程や組立工程時の簡略化等の点で好ましいが、前記樹脂成形リング部２４とは別体に成形されたものを該外装体２５の上端部全周を前記樹脂成形リング部２４に溶着・融着・接着等の接合手段により接合した構成とすることもできる。
【００６７】
更にまた、リフィール容器本体２０は、底面部２１、側壁部２２、フランジ部２３とから構成されているが、樹脂成形リング部２４を側壁部２２の上端部の全周に接合する構成とすることによりフランジ部２３を省略することもできる。この場合、被覆シール部５は樹脂成形リング部２４に接合されることになるので、被覆シール部５の接合面側に位置する樹脂層と樹脂成形リング部２４を構成する合成樹脂を同種の合成樹脂とすることが好ましい。
【００６８】
更に、リフィール容器２は、詰替容器１として外容器３に収納されて外蓋体４によって閉塞された状態で用いられるが、流通販売時等には交換用リフィールとして外容器３及び外蓋体４とは別に単独で取り扱われるものであることは言うまでもなく、かかる単独で取り扱われる。即ち、本発明のリフィール容器は、図１〜図４の実施例に示されるように、クリーム状又はゲル状物質の収容物を収容するリフィール容器２であって、外蓋体４によって閉塞可能な上方開口部を有する外容器３に着脱可能に収納される詰替容器用リフィール容器２において、
前記リフィール容器２が、底部２１と該底部２１の周縁部全周から立ち上がる筒状体の側壁部２２と該側壁部２２の上端部全周から外側方向に延伸するフランジ部２３とから成るリフィール容器本体２０と、前記フランジ部２３の下面に接合される環状の樹脂成形リング部２４と、を有すると共に、前記リフィール容器本体２０が合成樹脂層と酸素バリア層とを積層した積層フィルムを絞り成形して前記底部２１と前記側壁部２２と前記フランジ部２３とを一体的に形成した構成であり、
前記樹脂成形リング部２４を前記外容器３の上方開口部の縁部上面に載置し、前記リフィール容器本体２０の側壁部２２を前記外容器３内に間隙を設けた状態で垂下させて、前記リフィール容器２を前記外容器３に収納する構成であることを特徴とするものである。
【符号の説明】
【００６９】
１  詰替容器
２  リフィール容器
２０  リフィール容器本体
２１  底面部
２２  側壁部
２３  フランジ部
２４  樹脂成形リング部
２５  外装体
３  外容器
４  外蓋体
５  被覆シール部
【図１】
0005968636.tif 000002
【図２】
0005968636.tif 000003
【図３】
0005968636.tif 000004
【図４】
0005968636.tif 000005